(57)【要約】【課題】情報処理装置が有する機能に応じて室内照明の明るさを適正にする、ことを目的とする。【解決手段】照明制御システム１は、携帯端末装置２及び明るさの制御が可能な室内照明装置５を備える。携帯端末装置２は、ＬＣＤ画面を下向きにして筐体１０がユーザに保持されている場合に、照明装置３の明るさを低下させる明るさ制御情報を照明装置３へ送信する。そして、照明装置３は、受信した明るさ制御情報に基づいて照明の明るさを制御する。【選択図】図１
2018041681.tif 000002
【特許請求の範囲】
【請求項１】
筐体に設けられたディスプレイと、
明るさの制御が可能な照明装置との間で通信を行う通信部と、
前記ディスプレイの画面の傾きを測定する傾き測定部と、
前記傾き測定部の測定結果に基づいて、前記ディスプレイの画面の向き及びユーザによる前記筐体の保持の有無を判定する画面向き判定部と、
前記画面向き判定部によって前記ディスプレイの画面を下向きにして前記筐体がユーザに保持されていると判定された場合に、前記照明装置の明るさを低下させる制御情報を前記通信部に送信させる明るさ制御部と、
を備える情報処理装置。
【請求項２】
前記ディスプレイが備えられている面と相対する面に設けられ、周辺の明るさを測定する明るさ測定部と、
前記明るさ測定部の測定結果と前記ディスプレイの画面の明るさとを比較する明るさ比較部と、
を備え、
前記明るさ制御部は、前記ディスプレイの画面を下向きにしてユーザに保持されていると前記画面向き判定部によって判定された場合に、前記明るさ比較部による比較の結果に応じて前記制御情報を前記通信部に送信させる請求項１記載の情報処理装置。
【請求項３】
前記傾き測定部は、加速度センサ又は角速度センサである請求項１又は請求項２記載の情報処理装置。
【請求項４】
前記明るさ測定部は、照度センサである請求項２記載の情報処理装置。
【請求項５】
明るさの制御が可能な照明装置との間で通信を行う通信部と、
前記照明装置との連動を可能とする予め定められた機能が動作したことを判定する動作機能判定部と、
前記動作機能判定部によって動作したと判定された前記予め定められた機能に応じて、前記照明装置の明るさを制御する制御情報を前記通信部に送信させる明るさ制御部と、
を備える情報処理装置。
【請求項６】
前記予め定められた機能は、バッテリの残容量に応じたディスプレイの画面に対する明るさ抑制機能であり、
前記明るさ制御部は、前記明るさ抑制機能が動作した場合に、前記照明装置の明るさを低下させる前記制御情報を前記通信部に送信させる請求項５記載の情報処理装置。
【請求項７】
前記予め定められた機能は、被写体の撮像を行うカメラ機能であり、
前記被写体の明るさが撮像に適した明るさであるかを判定する明るさ判定部を備え、
前記明るさ制御部は、前記明るさ判定部によって前記被写体が撮像に適した明るさでないと判定された場合に、前記照明装置の明るさを上昇又は低下させる前記制御情報を前記通信部に送信させる請求項５記載の情報処理装置。
【請求項８】
前記予め定められた機能は、画像を投影するプロジェクタ機能であり、
前記明るさ制御部は、前記プロジェクタ機能が動作した場合に、前記照明装置の明るさを低下させる前記制御情報を前記通信部に送信させる請求項５記載の情報処理装置。
【請求項９】
前記照明装置の明るさの制御量をユーザが決定するためのインタフェース画像をディスプレイに表示する画像表示制御部を備え、
前記明るさ制御部は、決定された前記制御量を示す前記制御情報を前記通信部に送信させる請求項１から８の何れか１項記載の情報処理装置。
【請求項１０】
請求項１から請求項９の何れか１項に記載の情報処理装置と、
明るさの制御が可能な照明装置と、
を具備し、
前記照明装置は、
前記制御情報を受信する受信部と、
前記受信部によって受信した前記制御情報に基づいて照明の明るさを制御する照明制御部と、
を備える照明制御システム。
【請求項１１】
前記照明装置は、前記受信部によって複数の前記制御情報を受信した場合、前記情報処理装置毎に予め設定された優先度に基づいて明るさを制御する請求項１０記載の照明制御システム。
【請求項１２】
筐体に設けられたディスプレイと、明るさの制御が可能な照明装置との間で通信を行う通信部と、前記ディスプレイの画面の傾きを測定する傾き測定部と、を備えた情報処理装置の照明制御方法であって、
前記傾き測定部の測定結果に基づいて、前記ディスプレイの画面の向き及びユーザによる前記筐体の保持の有無を判定する第１工程と、
前記第１工程によって前記ディスプレイの画面を下向きにして前記筐体がユーザに保持されていると判定された場合に、前記照明装置の明るさを低下させる制御情報を前記通信部に送信させる第２工程と、
を有する照明制御方法。
【請求項１３】
明るさの制御が可能な照明装置との間で通信を行う通信部を備えた情報処理装置の照明制御方法であって、
前記照明装置との連動を可能とする予め定められた機能が動作したことを判定する第１工程と、
前記第１工程によって動作したと判定された前記予め定められた機能に応じて、前記照明装置の明るさを制御する制御情報を前記通信部に送信させる第２工程と、
を有する照明制御方法。
【請求項１４】
筐体に設けられたディスプレイと、明るさの制御が可能な照明装置との間で通信を行う通信部と、前記ディスプレイの画面の傾きを測定する傾き測定部と、を備えた情報処理装置が有するコンピュータを、
前記傾き測定部の測定結果に基づいて、前記ディスプレイの画面の向き及びユーザによる前記筐体の保持の有無を判定する画面向き判定部と、
前記画面向き判定部によって前記ディスプレイの画面を下向きにして前記筐体がユーザに保持されていると判定された場合に、前記照明装置の明るさを低下させる制御情報を前記通信部に送信させる明るさ制御部と、
をして機能させるプログラム。
【請求項１５】
明るさの制御が可能な照明装置との間で通信を行う通信部を備えた情報処理装置が有するコンピュータを、
前記照明装置との連動を可能とする予め定められた機能が動作したことを判定する動作機能判定部と、
前記動作機能判定部によって動作したと判定された前記予め定められた機能に応じて、前記照明装置の明るさを制御する制御情報を前記通信部に送信させるが有する明るさ制御部と、
をして機能させるプログラム。
【発明の詳細な説明】
【技術分野】
【０００１】
本発明は、情報処理装置、照明制御システム、照明制御方法、及びプログラムに関するものである。
【背景技術】
【０００２】
スマートフォンやノート型パーソナルコンピュータ等の情報処理装置は、ユーザによって持ち運ばれて様々な場所で使用される。このため、例えば、情報処理装置が備えるディスプレイの画面の照度（輝度）が、情報処理装置の使用場所によっては適正でなく、ユーザにとってディスプレイの視認性が悪い場合がある。
【０００３】
特許文献１には、外部の照度を測定する照度センサが携帯端末の筐体に設けられ、この照度センサの測定結果は、携帯端末が備えるディスプレイの画面の明るさを調整するために用いられることが開示されている。
【先行技術文献】
【特許文献】
【０００４】
【特許文献１】特開２０１２−１１９９６４号公報
【発明の概要】
【発明が解決しようとする課題】
【０００５】
特許文献１に開示されている携帯端末は、外部の照度に応じてディスプレイの画面の明るさを適正にするものである。一方、情報処理装置の使用状態によっては、室内照明の明るさを変更することが好ましい場合がある。情報処理装置の使用状態とは、情報処理装置を使用するユーザの姿勢や情報処理装置で動作している機能である。
【０００６】
本発明は、このような事情に鑑みてなされたものであって、情報処理装置の使用状態に応じて室内照明の明るさを適正にできる、情報処理装置、照明制御システム、照明制御方法、及びプログラムを提供することを目的とする。
【課題を解決するための手段】
【０００７】
上記課題を解決するために、本発明の情報処理装置、照明制御システム、照明制御方法、及びプログラムは以下の手段を採用する。
【０００８】
本発明の第一態様に係る情報処理装置は、筐体に設けられたディスプレイと、明るさの制御が可能な照明装置との間で通信を行う通信部と、前記ディスプレイの画面の傾きを測定する傾き測定部と、前記傾き測定部の測定結果に基づいて、前記ディスプレイの画面の向き及びユーザによる前記筐体の保持の有無を判定する画面向き判定部と、前記画面向き判定部によって前記ディスプレイの画面を下向きにして前記筐体がユーザに保持されていると判定された場合に、前記照明装置の明るさを低下させる制御情報を前記通信部に送信させる明るさ制御部と、を備える。
【０００９】
本発明の第二態様に係る情報処理装置は、明るさの制御が可能な照明装置との間で通信を行う通信部と、前記照明装置との連動を可能とする予め定められた機能が動作したことを判定する動作機能判定部と、前記動作機能判定部によって動作したと判定された前記予め定められた機能に応じて、前記照明装置の明るさを制御する制御情報を前記通信部に送信させる明るさ制御部と、を備える。
【００１０】
本発明の第三態様に係る照明制御システムは、上記記載の情報処理装置と、明るさの制御が可能な照明装置と、を具備し、前記照明装置は、前記制御情報を受信する受信部と、前記受信部によって受信した前記制御情報に基づいて照明の明るさを制御する照明制御部と、を備える。
【００１１】
本発明の第四態様に係る照明制御方法は、筐体に設けられたディスプレイと、明るさの制御が可能な照明装置との間で通信を行う通信部と、前記ディスプレイの画面の傾きを測定する傾き測定部と、を備えた情報処理装置の照明制御方法であって、前記傾き測定部の測定結果に基づいて、前記ディスプレイの画面の向き及びユーザによる前記筐体の保持の有無を判定する第１工程と、前記第１工程によって前記ディスプレイの画面を下向きにして前記筐体がユーザに保持されていると判定された場合に、前記照明装置の明るさを低下させる制御情報を前記通信部に送信させる第２工程と、を有する。
【００１２】
本発明の第五態様に係る照明制御方法は、明るさの制御が可能な照明装置との間で通信を行う通信部を備えた情報処理装置の照明制御方法であって、前記照明装置との連動を可能とする予め定められた機能が動作したことを判定する第１工程と、前記第１工程によって動作したと判定された前記予め定められた機能に応じて、前記照明装置の明るさを制御する制御情報を前記通信部に送信させる第２工程と、を有する。
【００１３】
本発明の第六態様に係るプログラムは、筐体に設けられたディスプレイと、明るさの制御が可能な照明装置との間で通信を行う通信部と、前記ディスプレイの画面の傾きを測定する傾き測定部と、を備えた情報処理装置が有するコンピュータを、前記傾き測定部の測定結果に基づいて、前記ディスプレイの画面の向き及びユーザによる前記筐体の保持の有無を判定する画面向き判定部と、前記画面向き判定部によって前記ディスプレイの画面を下向きにして前記筐体がユーザに保持されていると判定された場合に、前記照明装置の明るさを低下させる制御情報を前記通信部に送信させる明るさ制御部と、をして機能させる。
【００１４】
本発明の第七態様に係るプログラムは、明るさの制御が可能な照明装置との間で通信を行う通信部を備えた情報処理装置が有するコンピュータを、前記照明装置との連動を可能とする予め定められた機能が動作したことを判定する動作機能判定部と、前記動作機能判定部によって動作したと判定された前記予め定められた機能に応じて、前記照明装置の明るさを制御する制御情報を前記通信部に送信させるが有する明るさ制御部と、をして機能させる。
【発明の効果】
【００１５】
本発明によれば、情報処理装置の使用状態に応じて室内照明の明るさを適正にできる、という効果を有する。
【図面の簡単な説明】
【００１６】
【図１】本発明の第１実施形態に係る照明制御システムの構成図である。
【図２】本発明の第１実施形態に係る携帯端末装置の電気的構成を示すブロック図である。
【図３】本発明の第１実施形態に係る携帯端末装置の制御部における明るさ制御処理に関する機能ブロック図である。
【図４】携帯端末装置と照明装置との位置関係の例を示す模式図である。
【図５】本発明の第１実施形態に係る室内照明制御装置の電気的構成を示すブロック図である。
【図６】本発明の第１実施形態に係る室内照明装置の電気的構成を示すブロック図である。
【図７】本発明の第１実施形態に係る明るさ制御処理において携帯端末装置で実行される処理の流れを示すフローチャートである。
【図８】本発明の第１実施形態に係る明るさ制御処理においてＬＣＤ画面に表示される明るさ制御インタフェース画像である。
【図９】本発明の第１実施形態に係る明るさ制御処理において室内照明装置で実行される処理の流れを示すフローチャートである。
【図１０】本発明の第２実施形態に係る携帯端末装置の制御部における明るさ制御処理に関する機能ブロック図である。
【図１１】本発明の第２実施形態に係る明るさ制御処理において携帯端末装置で実行される処理の流れを示すフローチャートである。
【図１２】本発明の第３実施形態に係る携帯端末装置の制御部における明るさ制御処理に関する機能ブロック図である。
【図１３】本発明の第３実施形態に係る明るさ抑制機能に対応する明るさ制御処理において、携帯端末装置で実行される処理の流れを示すフローチャートである。
【図１４】本発明の第３実施形態に係るカメラ機能に対応する明るさ制御処理において、携帯端末装置で実行される処理の流れを示すフローチャートである。
【図１５】本発明の第３実施形態に係るプロジェクタ機能に対応する明るさ制御処理において、携帯端末装置で実行される処理の流れを示すフローチャートである。
【発明を実施するための形態】
【００１７】
以下に、本発明に係る情報処理装置、照明制御システム、照明制御方法、及びプログラムの一実施形態について、図面を参照して説明する。
【００１８】
〔第１実施形態〕
以下、本発明の第１実施形態について説明する。
【００１９】
図１は、本実施形態に係る照明制御システム１の構成図である。
【００２０】
本実施形態に係る照明制御システム１は、携帯端末装置２及び照明装置３を備える。
【００２１】
携帯端末装置２は、ユーザが携帯可能な情報処理装置であって、例えばタブレット端末である。照明装置３は、室内に設けられ、かつ明るさの制御が可能であり、室内照明制御装置４及び室内照明装置５を備える。
【００２２】
携帯端末装置２と照明装置３とは通信が可能とされている。携帯端末装置２は、照明装置３の明るさを制御する明るさ制御情報を照明装置３へ送信する。照明装置３は、携帯端末装置２からの明るさ制御情報を受信すると、明るさ制御情報に応じて明るさを制御する。以下の説明において、これらの処理を総称して明るさ制御処理という。
【００２３】
携帯端末装置２は、筐体１０の正面に、画像を表示するタッチパネルディスプレイ１１、及び被写体を撮像するカメラ１３Ａが設けられている。なお、撮像とは、静止画又は動画を撮影することをいう。
【００２４】
また、筐体１０の背面には、カメラ１３Ｂも設けられている。なお、以下の説明において、各カメラ１３Ａ，１３Ｂを区別する場合は、符号の末尾にＡ〜Ｂの何れかを付し、各カメラ１３Ａ，１３Ｂを区別しない場合は、Ａ〜Ｂを省略する。
【００２５】
タッチパネルディスプレイ１１は、筐体１０の中央の略全域に亘って配置され、文字、ウェブサイト、各種アプリケーション、及びカメラ１３で撮像した被写体等の画像を表示すると共に、指、スタイラス、ペン等の指示体を用いて行われる各種操作を検出する。
【００２６】
図２は、携帯端末装置２の電気的構成を示す機能ブロック図である。
【００２７】
携帯端末装置２は、制御部２０を備え、制御部２０に、カメラ１３Ａ，１３Ｂ、メモリ２１、記憶部２２、通信部２３、電源部２４、グラフィクスアダプタ２５、入力コントローラ２６、画面角測定部２７、及び室内明るさ測定部２８が接続されている。
【００２８】
制御部２０は、例えば、ＣＰＵ（Central  Processing  Unit）、マイクロプロセッサ、ＤＳＰ（Digital  Signal  Processor）等であり、携帯端末装置２の動作を統括的に制御して各種の機能（モード）を実現する。具体的には、制御部２０は、記憶部２２に格納されたＯＳ（Operating  System）により携帯端末装置２全体の制御を行うと共に、記憶部２２に記憶されているデータやメモリ２１に展開したデータを必要に応じて参照しつつ、記憶部２２に記憶されているプログラムに含まれる命令を実行して、タッチパネルディスプレイ１１、通信部２３等を制御することによって各種機能（モード）を実現する。なお、制御部２０が実行するプログラムや参照するデータは、通信部２３による無線通信でサーバ装置からダウンロードすることとしてもよい。
【００２９】
メモリ２１は、例えば、ＲＡＭ（Random  Access  Memory）等で構成されており、制御部２０によって実行されるプログラム、制御部２０が参照するデータ、制御部２０の演算結果等が一時的に記憶されるワークエリアとして使用される。
【００３０】
記憶部２２は、例えば、不揮発性メモリや磁気記憶装置であり、制御部２０での処理に利用されるプログラムやデータを保存する。記憶部２２に記憶されるプログラムには、携帯端末装置２の基本的な機能を実現するＯＳ、デバイスをハードウェア制御するためのデバイス・ドライバ、電子メール機能を実現するための機能を提供するメールプログラム、ウェブブラウジング機能を実現するための機能を提供するブラウザプログラムや各種データ等が含まれる。
【００３１】
通信部２３は、基地局によって割り当てられるチャネルを介し、基地局との間で無線信号回線を確立し、基地局との間で電話通信及び情報通信を行う。また、通信部２３は、赤外線やネットワークを介して他の情報処理装置や照明装置３（室内照明制御装置４）との間で各種データの送受信を行う。
【００３２】
電源部２４は、制御部２０の制御に従って、バッテリ２９又はＡＣアダプタ等から得られる電力を携帯端末装置２の各機部へ供給する。
【００３３】
タッチパネルディスプレイ１１は、ＬＣＤ（Liquid Crystal Display）１１Ａ及びタッチセンサ１１Ｂを備える。
【００３４】
ＬＣＤ１１Ａは、入力されるビデオ信号を画像として表示する。
【００３５】
タッチセンサ１１Ｂは、例えば、静電容量方式のタッチセンサであり、ＬＣＤ１１Ａに対するユーザのタッチ位置を検出して、入力コントローラ２６へ出力する。タッチセンサ１１Ｂは、ＬＣＤ１１Ａの画面に表示される各種メニュー、アイコン、ボタン、及びキーボード等の画面オブジェクトを選択して入力操作を行ったり、テキストの入力操作や、スクロールやスワイプ等の画面操作を行うためのものである。
【００３６】
グラフィクスアダプタ２５は、制御部２０の制御に従って、ＬＣＤ１１Ａに表示する画像を示す画像情報をビデオ信号に変換し、変換したビデオ信号をＬＣＤ１１Ａへ出力する。
【００３７】
入力コントローラ２６は、プロセッサが記憶部２２等に格納されたプログラムを実行することにより各種処理を行い、タッチセンサ１１Ｂの動作を制御する。
【００３８】
画面角測定部２７は、タッチパネルディスプレイ１１の画面（以下「ＬＣＤ画面」という。）の傾きを検知する。画面角測定部２７は、例えば、加速度センサ又は角速度センサ（ジャイロセンサ）等を有し、加速度センサ又は角速度センサの検知結果に基づいてＬＣＤ画面の角度（水平に対する角度）を測定する。
【００３９】
室内明るさ測定部２８は、筐体１０においてタッチパネルディスプレイ１１が備えられている面（正面）と相対する面（背面）に設けられ、周辺の明るさを測定する。周辺の明るさとは、換言すると、室内の明るさである。室内明るさ測定部２８は、例えば、照度センサである。なお、照度センサは、筐体１０の背面に設けられたカメラ１３Ｂが有する照度センサ機能が用いられてもよいし、カメラ１３Ｂとは別に設けられてもよい。
【００４０】
以下の説明において、一例として、明るさを照度（ｌｘ）及び輝度（ｃｄ／ｃｍ２）で表すが、これに限らず他の次元で表してもよい。
【００４１】
図３は、携帯端末装置２における明るさ制御処理に関する機能ブロック図である。
【００４２】
本実施形態に係る制御部２０は、画面輝度制御部３０、消費電力制御部３１、被写体照度判定部３２、画面向き判定部３３、明るさ制御部３４、及び画面表示制御部３５を備える。これら各部は、プログラムによって実現される。
【００４３】
画面輝度制御部３０は、ＬＣＤ画面の輝度を制御する。なお、ＬＣＤ画面の輝度は、ＬＣＤ１１Ａに設けられるバックライトによって制御される。ＬＣＤ画面の輝度が制御される場合とは、例えば、ユーザによってＬＣＤ画面の輝度設定が変更された場合や、バッテリ２９の残容量に応じてＬＣＤ画面に対する明るさ抑制機能が動作した場合である。なお、バッテリ２９の残容量が少なくなって明るさ抑制機能が動作した場合、画面輝度制御部３０は、ＬＣＤ画面の輝度を低下させる。
【００４４】
消費電力制御部３１は、バッテリ２９の残容量が少なくなる等した場合に、ＬＣＤ画面に対する明るさ抑制機能を動作させたり、他の構成部に対して消費電力の抑制を行う。
【００４５】
被写体照度判定部３２は、カメラ１３を用いて被写体の撮像を行うカメラ機能が動作した場合に、被写体の明るさ（以下「被写体照度」という。）が撮像に適した明るさであるかを判定する。
【００４６】
画面向き判定部３３は、画面角測定部２７の測定結果に基づいて、ＬＣＤ画面の向き及びユーザによる筐体１０の保持の有無を判定する。
【００４７】
画面向き判定部３３は、例えば、画面角測定部２７の測定結果が予め定めた時間内（例えば１０秒）に所定値以上で変化している場合を、ユーザによって筐体１０が保持されているとする。一方、画面角測定部２７の測定値に変化が無い場合は、携帯端末装置２はユーザによって保持されておらず、例えば机等に載置されている状態である。そして、画面向き判定部３３は、画面角測定部２７によってＬＣＤ画面の傾きが所定角度範囲内（例えば水平に対して０°から９０°の範囲、以下「画面下向範囲」という。）と測定された場合に、ＬＣＤ画面を下向きにして筐体１０がユーザに保持されていると判定する。
【００４８】
画面向き判定部３３によってＬＣＤ画面を下向きにして筐体１０がユーザに保持されていると判定された場合とは、例えば、ユーザが携帯端末装置２を保持しながら寝そべり、上を向きながらＬＣＤ画面を視認している姿勢となっている場合である。このように、画面向き判定部３３は、換言すると、携帯端末装置２を使用しているユーザの姿勢を判定している。そして、携帯端末装置２のユーザが室内でこのような姿勢を取っている場合、図４に示されるように、ユーザの視線の先に照明があり、照明装置３の明るさに比べてＬＣＤ画面の明るさの方が低く、ＬＣＤ画面が見難い場合がある。
【００４９】
明るさ制御部３４は、照明装置３の明るさを制御する制御情報（以下「明るさ制御情報」という。）を通信部２３に送信させる。本実施形態に係る明るさ制御部３４は、画面向き判定部３３によってＬＣＤ画面を下向きにして筐体１０がユーザに保持されていると判定された場合に、明るさ制御情報として照明装置３の明るさを低下させる制御情報を通信部２３に送信させる。
【００５０】
また、明るさ制御情報には、照明装置３の明るさを制御可能な優先度が含まれる。この優先度は、携帯端末装置２毎に予め定められて記憶部２２に記憶されている。    
【００５１】
画面表示制御部３５は、ＬＣＤ１１Ａに表示する画像を制御するものであり、ＬＣＤ１１Ａに表示させる画像を示す画像情報をグラフィクスアダプタ２５へ出力する。なお、本実施形態に係る画面表示制御部３５は、詳細を後述するように、照明装置３の明るさの制御量をユーザが決定するための画像（ユーザインタフェース）をＬＣＤ１１Ａに表示させる。
【００５２】
図５は、本実施形態に係る室内照明制御装置４の電気的構成を示すブロック図である。室内照明制御装置４は、通信部４０、演算部４１、入力部４２、及び情報表示部４３を備える。
【００５３】
通信部４０は、無線通信により携帯端末装置２から送信される明るさ制御情報を受信する受信部として機能し、受信した明るさ制御情報を演算部４１へ転送する。また、通信部４０は、演算部４１から転送される明るさ制御情報やその他の各種情報を室内照明装置５へ送信する。
【００５４】
演算部４１は、通信部４０から転送された明るさ制御情報の優先度や緊急度等に基づいて、明るさ制御情報を室内照明装置５へ送信するか否かを判定する。なお、緊急度とは、携帯端末装置２毎に設定されている優先度とは別の観点で設定された優先順位である。緊急度が高い場合は、優先度の低い携帯端末装置２からの明るさ制御情報であっても、室内照明装置５へ送信される。一方、緊急度が低い場合は、明るさ制御情報を送信した携帯端末装置２の優先度に基づいて、室内照明装置５への送信可否が判定される。緊急度が高い場合、室内照明装置５は、例えば、消灯又は最大輝度での点灯を即座に行ったり、予め定められたパターン化された点灯を行う。一方、緊急度が低い場合、室内照明装置５は、例えば、予め定められた変化率で徐々に明るさを変化させる。
【００５５】
なお、演算部４１は、明るさ制御処理を実行可能な携帯端末装置２の登録情報、携帯端末装置２毎の優先度、明るさ制御情報に基づいて輝度が制御される前の輝度等を記憶する記憶媒体を備えている。
【００５６】
入力部４２は、スイッチ、ボタン、又はタッチパネル等によって、室内照明制御装置４に対する設定等のユーザ入力を受け付ける。例えば、入力部４２によって、明るさ制御処理の実行の可否や優先度設定の有無が設定される。
【００５７】
情報表示部４３は、ＬＥＤ（Light Emitting Diode）ランプ又はＬＣＤパネル等によって、室内照明制御装置４の設定値や現在の明るさ制御情報の内容等を表示する。
【００５８】
図６は、本実施形態に係る室内照明装置５の電気的構成を示すブロック図である。室内照明装置５は、通信部５０、演算部５１、及び照明部５２を備える。
【００５９】
通信部５０は、室内照明制御装置４から送信される明るさ制御情報やその他の各種情報を受信し、演算部５１へ転送する。また、通信部５０は、演算部５１から転送される各種情報を室内照明制御装置４へ送信する。なお、通信部４０と通信部５０とによる情報の送受信は、無線で行われてもよいし、有線で行われてもよい。
【００６０】
演算部５１は、明るさ制御情報に基づいて照明部５２の明るさ（輝度）を制御する。このため演算部５１は、明るさ制御情報に基づいた制御信号を生成して照明部５２へ出力する。また、演算部５１は、明るさ制御情報を受信したことを示す情報（Ａｃｋ情報）等を通信部５０へ出力する。
【００６１】
照明部５２は、例えば、ＬＥＤ照明であり、演算部５１からの制御信号に応じた明るさで室内照明を行う。
【００６２】
なお、室内照明制御装置４及び室内照明装置５は、その構成が分けられず、一体のものとして構成されてもよい。
【００６３】
図７は、本実施形態に係る明るさ制御処理において携帯端末装置２で実行される処理の流れを示すフローチャートである。本処理は、携帯端末装置２が起動すると共に処理を開始する。また、明るさ制御処理を実行中でも、画面角測定部２７による測定が継続して行われている。
【００６４】
まずステップ１００では、画面角測定部２７による測定結果に基づいて、携帯端末装置２の筐体１０がユーザによって保持されているか否かを画面向き判定部３３が判定し、肯定判定の場合はステップ１０２へ移行する。
【００６５】
ステップ１０２では、画面角測定部２７による測定結果に基づいて、ＬＣＤ画面の傾きが画面下向範囲内であるか否かを画面向き判定部３３が判定し、肯定判定の場合はステップ１０４へ移行し、否定判定の場合はステップ１００へ戻る。
【００６６】
ステップ１０４では、照明装置３（照明部５２）の輝度を低下させる明るさ制御情報を、明るさ制御部３４が通信部２３を介して送信する。これにより、照明装置３の輝度が低下すると、照明装置３の輝度に比べてＬＣＤ画面の輝度を高くできるので、ユーザはＬＣＤ画面が見易くなる。
【００６７】
明るさ制御情報は、例えば、予め定められた輝度を示すものであってもよいし、ユーザによって決定された輝度の制御量を示すものであってもよい。
【００６８】
図８は、ユーザが照明装置３の明るさの制御量を決定するためにタッチパネルディスプレイ１１に表示される画像（以下「明るさ制御インタフェース画像」という。）６０を示す。明るさ制御インタフェース画像６０は、タッチセンサ１１Ｂを介してユーザによって制御される。明るさ制御インタフェース画像６０は、例えば矢印画像６０Ａをユーザが上下移動させることで照明装置３の輝度を設定可能とされている。本実施形態では、矢印画像６０Ａが最も上に位置している状態では、照明装置３の輝度は変更されない。一方、ユーザによって矢印画像６０Ａの位置が下げされると、照明装置３の輝度は低下することとなる。
【００６９】
明るさ制御部３４は、矢印画像６０Ａの位置に応じた輝度を示す明るさ制御情報を、通信部２３を介して送信する。
【００７０】
なお、明るさ制御インタフェース画像６０は、図８に示されるものに限らず、例えば、照明装置３の輝度の低下のオン、オフを選択するだけでもよい。
【００７１】
次のステップ１０６では、画面角測定部２７による測定結果に基づいて、携帯端末装置２の筐体１０がユーザによって保持されているか否かを画面向き判定部３３が判定し、肯定判定の場合はステップ１０８へ移行し、否定判定の場合はステップ１１０へ移行する。
【００７２】
ステップ１０８では、画面角測定部２７による測定結果に基づいて、ＬＣＤ画面の傾きが画面下向範囲内であるか否かを画面向き判定部３３が判定する。肯定判定の場合はステップ１０６へ戻って照明装置３の輝度を低下させた状態を保つ。一方、否定判定の場合はステップ１１０へ移行する。
【００７３】
ステップ１１０に移行する場合、ユーザは、携帯端末装置２を保持しながら寝そべり、上を向きながらＬＣＤ画面を視認している姿勢をしていない。このため、ステップ１１０では、照明装置３の輝度を戻す明るさ制御情報を、明るさ制御部３４が通信部２３を介して送信する。なお、輝度を戻すとは、ステップ１０４で明るさ制御情報を送信する前の輝度とすることである。
【００７４】
図９は、本実施形態に係る明るさ制御処理において室内照明装置５で実行される処理の流れを示すフローチャートである。
【００７５】
ステップ２００では、通信部４０を介して明るさ制御情報を受信したか否かを演算部５１が判定し、肯定判定の場合はステップ２０２へ移行する。
【００７６】
ステップ２０２では、明るさ制御情報を送信した携帯端末装置２毎に予め設定された優先度が高いか否かを演算部５１が判定し、肯定判定の場合はステップ２０４へ移行し、否定判定の場合はステップ２００へ戻る。
【００７７】
室内照明装置５は、携帯端末装置２毎に予め設定された優先度に基づいて明るさを制御すればよく、例えば、予め設定した優先度の高い携帯端末装置２からの明るさ制御情報を優先して輝度を制御する。なお、携帯端末装置２毎に優先度は設定されず、室内照明装置５は、最新に受信した明るさ制御情報に応じて輝度を制御してもよい。
【００７８】
ステップ２０４では、明るさ制御情報に基づいて照明部５２の輝度を演算部５１が制御し、ステップ２００へ戻る。これにより、明るさ制御処理が、照明装置３の輝度を制御することとなる。
【００７９】
以上説明したように、本実施形態に係る照明制御システム１は、携帯端末装置２及び明るさの制御が可能な室内照明装置５を備える。携帯端末装置２は、ＬＣＤ画面を下向きにして筐体１０がユーザに保持されている場合に、照明装置３の明るさを低下させる明るさ制御情報を照明装置３へ送信する。そして、照明装置３は、受信した明るさ制御情報に基づいて照明の明るさを制御する。
【００８０】
これにより、照明制御システム１は、携帯端末装置２の使用状態、すなわち携帯端末装置２を使用するユーザの姿勢に応じて室内照明の明るさを適正にできる。
【００８１】
〔第２実施形態〕
以下、本発明の第２実施形態について説明する。
【００８２】
本実施形態に係る携帯端末装置２は、ＬＣＤ画面を下向きにしてユーザに保持されている場合に、ＬＣＤ画面の明るさと周辺の明るさとを比較した結果に応じて明るさ制御情報を照明装置３へ送信する。
【００８３】
図１０は、本実施形態に係る携帯端末装置２における明るさ制御処理に関する機能ブロック図である。なお、図１０における図３と同一の構成部分については図３と同一の符号を付して、その説明を省略する。
【００８４】
本実施形態に係る制御部２０は、画面輝度制御部３０、消費電力制御部３１、被写体照度判定部３２、画面向き判定部３３、明るさ制御部３４、画面表示制御部３５、及び明るさ比較部３６を備える。
【００８５】
明るさ比較部３６は、室内明るさ測定部２８の測定結果（以下「背面側照度」という。）とＬＣＤ画面の明るさ（以下「画面輝度」という。）とを比較する。ＬＣＤ画面の明るさは、例えば、ＬＣＤ１１Ａに設けられているバックライトの明るさである。
【００８６】
本実施形態に係る明るさ制御部３４は、ＬＣＤ画面を下向きにしてユーザに保持されていると画面向き判定部３３によって判定され、かつ、例えば、明るさ比較部３６によって画面輝度の方が背面側照度に比べて暗いと判定された場合に、明るさ制御情報を通信部２３に送信させる。画面輝度の方が背面側照度に比べて暗い場合とは、ＬＣＤ画面よりも周辺が明るく、ＬＣＤ画面が見難い場合である。
【００８７】
図１１は、本実施形態に係る明るさ制御処理において携帯端末装置２で実行される処理の流れを示すフローチャートである。なお、図１１における図７と同一のステップについては図７と同一の符号を付して、その説明を一部又は全部省略する。
【００８８】
ステップ１００では、携帯端末装置２の筐体１０がユーザによって保持されていると画面向き判定部３３が判定した場合にステップ１０２へ移行する。
【００８９】
ステップ１０２では、画面角測定部２７による測定結果に基づいて、ＬＣＤ画面の傾きが画面下向範囲内であるか否かを画面向き判定部３３が判定し、肯定判定の場合はステップ１０３へ移行し、否定判定の場合はステップ１００へ戻る。
【００９０】
ステップ１０３では、画面輝度が背面側照度に比べて暗いか否かを明るさ比較部３６が判定し、肯定判定の場合はステップ１０４へ移行し、否定判定の場合はステップ１００へ戻る。なお、輝度と照度とでは次元が異なるため、ステップ１０３では、例えば変換式や変換係数を用いて輝度又は照度を変換し、画面輝度と背面側照度の大小関係を判定する。
【００９１】
ステップ１０４では、照明装置３の輝度を低下させる明るさ制御情報を、明るさ制御部３４が通信部２３を介して送信する。これにより、ＬＣＤ画面よりも周辺の方が暗くなるので、ユーザはＬＣＤ画面を見易くなる。なお、背面側照度と画面輝度との差が所定値以上であり、背面側照度が画面輝度に比べて明るすぎる場合、明るさ制御部３４は、明るさ制御情報を緊急度が高いものとして通信部２３に送信させてもよい。
【００９２】
次のステップ１０６では、ＬＣＤ画面の傾きが画面下向範囲内であるか否かを画面向き判定部３３が判定し、肯定判定の場合はステップ１０８へ移行し、否定判定の場合はステップ１１０へ移行する。
【００９３】
ステップ１０８では、画面角測定部２７による測定結果に基づいて、ＬＣＤ画面の傾きが画面下向範囲内であるか否かを画面向き判定部３３が判定し、肯定判定の場合はステップ１０６へ戻り、否定判定の場合はステップ１１０へ移行する。
【００９４】
ステップ１１０では、照明装置３の輝度を戻す明るさ制御情報を、明るさ制御部３４が通信部２３を介して送信する。
【００９５】
〔第３実施形態〕
以下、本発明の第３実施形態について説明する。
【００９６】
本実施形態に係る携帯端末装置２は、照明装置３との連動を可能とする予め定められた機能（以下「照明連動機能」という。）に応じて、明るさ制御情報を照明装置３へ送信する。なお、照明連動機能による明るさ制御情報は、一例として、緊急度が高いものとされる。
【００９７】
図１２は、本実施形態に係る携帯端末装置２における明るさ制御処理に関する機能ブロック図である。なお、図１２における図３と同一の構成部分については図３と同一の符号を付して、その説明を省略する。
【００９８】
本実施形態に係る制御部２０は、画面輝度制御部３０、消費電力制御部３１、被写体照度判定部３２、明るさ制御部３４、画面表示制御部３５、及び動作機能判定部３８を備える。
【００９９】
動作機能判定部３８は、携帯端末装置２において照明連動機能が動作したことを判定する。照明連動機能は、例えば、明るさ抑制機能、カメラ機能、又はスクリーン等に画像を投影するプロジェクタ機能である。プロジェクタ機能は、例えば、携帯端末装置２に対してＵＳＢ（Universal  Serial  Bus）等を介してプロジェクタが外部接続された場合に機能する。なお、これに限らず、携帯端末装置２にプロジェクタが内蔵されていてもよい。
【０１００】
本実施形態に係る明るさ制御部３４は、動作機能判定部３８によって動作したと判定された機能に応じて、照明装置３の明るさを制御する明るさ制御情報を通信部２３に送信させる。
【０１０１】
図１３は、本実施形態に係る明るさ抑制機能に対応する明るさ制御処理において、携帯端末装置２で実行される処理の流れを示すフローチャートである。
【０１０２】
まず、ステップ３００では、明るさ抑制機能が動作しているか否かを、動作機能判定部３８が判定し、肯定判定の場合はステップ３０２へ移行する。明るさ抑制機能が動作すると、ＬＣＤ画面の輝度が低下し、相対的に照明装置３の輝度が高くなるので、ユーザはＬＣＤ画面が見難くなる。
【０１０３】
ステップ３０２では、照明装置３の輝度を低下させる明るさ制御情報を、明るさ制御部３４が通信部２３を介して送信する。これにより、照明装置３の輝度が低下すると、照明装置３の輝度に比べてＬＣＤ画面の輝度を高くできるので、ユーザはＬＣＤ画面が見易くなる。
【０１０４】
次のステップ３０４では、明るさ抑制機能が動作し続けているか否かを、動作機能判定部３８が判定し、否定判定の場合はステップ３０６へ移行する。否定判定となる場合は、例えば、バッテリ２９に対する充電によって、明るさ抑制機能を解除できるバッテリ容量となった場合である。
【０１０５】
次のステップ３０６では、照明装置３の輝度を戻す明るさ制御情報を、明るさ制御部３４が通信部２３を介して送信する。
【０１０６】
図１４は、本実施形態に係るカメラ機能に対応する明るさ制御処理において、携帯端末装置２で実行される処理の流れを示すフローチャートである。なお、カメラ機能に対応する明るさ制御処理は、携帯端末装置２に優先度が設定されていても、優先度に関わらずに実行される。
【０１０７】
まず、ステップ４００では、カメラ機能が動作しているか否かを、動作機能判定部３８が判定し、肯定判定の場合はステップ４０２へ移行する。
【０１０８】
ステップ４０２では、カメラ１３が被写体照度を測定する。
【０１０９】
次のステップ４０４では、被写体照度が撮像に適した明るさであるかを、被写体照度判定部３２が判定し、肯定判定の場合はステップ４０６へ移行し、否定判定の場合はステップ４０８へ移行する。被写体照度が適正でない場合とは、室内が暗すぎて露出不足の場合、室内が明るすぎて露出過多の場合、照明装置３が被写体の後ろ側に位置して逆光となっている場合等である。
【０１１０】
ステップ４０６では、被写体照度が撮像に適した明るさであるため、ユーザの操作に従ってカメラ１３による撮像処理を行い、ステップ４００へ戻る。
【０１１１】
ステップ４０８では、被写体照度が撮像に適した明るさでないため、明るさ制御部３４が明るさ制御情報を通信部２３を介して送信する。すなわち、被写体照度判定部３２によって露出不足と判定された場合、携帯端末装置２は、輝度を上昇させる明るさ制御情報を送信する。一方、被写体照度判定部３２によって露出過多と判定された場合、携帯端末装置２は、輝度を低下させる明るさ制御情報を送信する。これにより、室内がカメラ１３による撮像に適した明るさとなる。
【０１１２】
次のステップ４１０では、ユーザの操作に従ってカメラ１３による撮像処理を行う。
【０１１３】
次のステップ４１２では、撮影が終了したか否かを明るさ制御部３４が判定し、肯定判定の場合はステップ４１４へ移行する。
【０１１４】
次のステップ４１４では、照明装置３の輝度を戻す明るさ制御情報を、明るさ制御部３４が通信部２３を介して送信する。このように、撮影が終了すると共に、照明装置３の輝度が戻されるので、露出不足の場合は、照明装置３がフラッシュのように動作することとなる。
【０１１５】
図１５は、本実施形態に係るプロジェクタ機能に対応する明るさ制御処理において、携帯端末装置２で実行される処理の流れを示すフローチャートである。
【０１１６】
まず、ステップ５００では、プロジェクタ機能が動作しているか否かを、動作機能判定部３８が判定し、肯定判定の場合はステップ５０２へ移行する。
【０１１７】
ステップ５０２では、照明装置３の輝度を低下させる明るさ制御情報を、明るさ制御部３４が通信部２３を介して送信する。これにより、プロジェクタ機能の動作と共に、室内が暗くなるため、ユーザはプロジェクタにより投影された画像が見易くなる。
【０１１８】
次のステップ５０４では、プロジェクタ機能が動作しているか否かを、動作機能判定部３８が判定し、否定判定の場合はステップ５０６へ移行する。
【０１１９】
次のステップ５０６では、照明装置３の輝度を戻す明るさ制御情報を、明るさ制御部３４が通信部２３を介して送信する。
【０１２０】
ここで、照明連動機能は、明るさ抑制機能、カメラ機能、及びプロジェクタ機能に限らず、他の機能であってもよい。
【０１２１】
例えば、携帯端末装置２は、所定の時間経過後に携帯端末装置２の電源をオフとするオフタイマー機能を照明連動機能としてもよい。具体的には、携帯端末装置２は、オフタイマー機能によって設定された時間経過後に、照明装置３がオフとなるように明るさ制御情報を送信する。または、携帯端末装置２は、設定された時間経過後にオフとなるように、照明装置３の明るさが徐々に低下させる明るさ制御情報を送信する。また、携帯端末装置２は、アラーム機能を照明連動機能とし、アラーム動作で照明装置３の輝度を予め定められた明るさ（例えば最大輝度）、又は一定の点灯パターンで変化させてもよい。また、携帯端末装置２は、緊急地震速報や緊急災害情報等の受信機能を照明連動機能とし、これらを受信した場合に、照明装置３の輝度を予め定められた明るさ、又は一定の点灯パターンで変化させてもよい。また、携帯端末装置２は、電話の着信機能を照明連動機能とし、照明装置３が消灯した状態で着信があった場合に、照明装置３の輝度を予め定められた明るさ、又は一定の点灯パターンで変化させてもよい。
【０１２２】
さらに、携帯端末装置２は、夜間にＬＣＤ１１Ａから発せられるブルーライトをカットする、所謂ナイトシフトモードを照明連動機能としてもよい。具体的には、携帯端末装置２は、ナイトシフトモードに連動させて、照明装置３の明るさの色を暖色系に切り変える明るさ制御情報を送信する。
【０１２３】
また、携帯端末装置２は、カメラ機能が動作している場合に、照明装置３がフラッシュのように動作するだけでなく、照明装置３の明るさの色を切り換えてもよい。例えば、携帯端末装置２は、撮像した写真の再現性を高めるために、焦点が有っている部分の色に応じて色を切り変える明るさ制御情報を送信する。より具体的には、携帯端末装置２は、焦点が人の顔や食品に合っている場合に、照明装置３の明るさの色を暖色系に切り変える明るさ制御情報を送信する。
【０１２４】
以上説明したように、本実施形態に係る携帯端末装置２は、動作している照明連動機能に応じて、明るさ制御情報を照明装置３へ送信する。これにより、照明制御システム１は、携帯端末装置２の使用状態、すなわち携帯端末装置２で動作している機能に応じて室内照明の明るさを適正にできる。
【０１２５】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。    
【０１２６】
また、上記各実施形態は適宜組み合わされてもよい。例えば、第１実施形態において説明した明るさ制御インタフェース画像６０を用いたユーザによる輝度の制御が、第２実施形態及び第３実施形態に適用されてもよい。また、携帯端末装置２は、第１実施形態に係る明るさ制御処理と第３実施形態に係る明るさ制御処理を実行してもよいし、第２実施形態に係る明るさ制御処理と第３実施形態に係る明るさ制御処理を実行してもよい。
【０１２７】
また、上記各実施形態では、本発明に係る情報処理装置をタブレット端末とする形態について説明したが、本発明は、これに限定されるものではなく、携帯型の情報処理装置であれば、ノート型パーソナルコンピュータ及びスマートフォン等、他の形態でもよい。
【０１２８】
また、上記各実施形態では、本発明に係る携帯端末装置２が複数の照明装置３に明るさ制御情報を送信してもよい。例えば、携帯端末装置２は、ユーザが居る部屋とは異なる部屋に設置されている照明装置３へ異なる明るさ制御情報（例えば照明を消すことを示す明るさ制御情報）を送信してもよい。
【０１２９】
また、上記各実施形態で説明した各処理の流れも一例であり、本発明の主旨を逸脱しない範囲内において不要なステップを削除したり、新たなステップを追加したり、処理順序を入れ替えたりしてもよい。
【符号の説明】
【０１３０】
１      照明制御システム
２      携帯端末装置（情報処理装置）
３      照明装置
１０    筐体
１１Ａ  ＬＣＤ（ディスプレイ）
１３    カメラ
２３    通信部
２７    画面角測定部（傾き測定部）
２９    バッテリ
３３    画面向き判定部
３４    明るさ制御部
３５    画像表示制御部
３６    明るさ比較部
３８    動作機能判定部
４０    通信部（受信部）
６０    明るさ制御インタフェース画像（インタフェース画像）
【図１】
2018041681.tif 000003
【図２】
2018041681.tif 000004
【図３】
2018041681.tif 000005
【図４】
2018041681.tif 000006
【図５】
2018041681.tif 000007
【図６】
2018041681.tif 000008
【図７】
2018041681.tif 000009
【図８】
2018041681.tif 000010
【図９】
2018041681.tif 000011
【図１０】
2018041681.tif 000012
【図１１】
2018041681.tif 000013
【図１２】
2018041681.tif 000014
【図１３】
2018041681.tif 000015
【図１４】
2018041681.tif 000016
【図１５】
2018041681.tif 000017
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
筐体に設けられたディスプレイと、
明るさの制御が可能な照明装置との間で通信を行う通信部と、
前記ディスプレイの画面の傾きを測定する傾き測定部と、
前記傾き測定部の測定結果に基づいて、前記ディスプレイの画面の向き及びユーザによる前記筐体の保持の有無を判定する画面向き判定部と、
前記画面向き判定部によって前記ディスプレイの画面を下向きにして前記筐体がユーザに保持されていると判定された場合に、前記照明装置の明るさを低下させる制御情報を前記通信部に送信させる明るさ制御部と、
を備える情報処理装置。
【請求項２】
前記ディスプレイが備えられている面と相対する面に設けられ、周辺の明るさを測定する明るさ測定部と、
前記明るさ測定部の測定結果と前記ディスプレイの画面の明るさとを比較する明るさ比較部と、
を備え、
前記明るさ制御部は、前記ディスプレイの画面を下向きにしてユーザに保持されていると前記画面向き判定部によって判定された場合に、前記明るさ比較部による比較の結果に応じて前記制御情報を前記通信部に送信させる請求項１記載の情報処理装置。
【請求項３】
前記傾き測定部は、加速度センサ又は角速度センサである請求項１又は請求項２記載の情報処理装置。
【請求項４】
前記明るさ測定部は、照度センサである請求項２記載の情報処理装置。
【請求項５】
前記照明装置の明るさの制御量をユーザが決定するためのインタフェース画像をディスプレイに表示する画像表示制御部を備え、
前記明るさ制御部は、決定された前記制御量を示す前記制御情報を前記通信部に送信させる請求項１から４の何れか１項記載の情報処理装置。
【請求項６】
請求項１から請求項５の何れか１項に記載の情報処理装置と、
明るさの制御が可能な照明装置と、
を具備し、
前記照明装置は、
前記制御情報を受信する受信部と、
前記受信部によって受信した前記制御情報に基づいて照明の明るさを制御する照明制御部と、
を備える照明制御システム。
【請求項７】
前記照明装置は、前記受信部によって複数の前記制御情報を受信した場合、前記情報処理装置毎に予め設定された優先度に基づいて明るさを制御する請求項６記載の照明制御システム。
【請求項８】
筐体に設けられたディスプレイと、明るさの制御が可能な照明装置との間で通信を行う通信部と、前記ディスプレイの画面の傾きを測定する傾き測定部と、を備えた情報処理装置の照明制御方法であって、
前記傾き測定部の測定結果に基づいて、前記ディスプレイの画面の向き及びユーザによる前記筐体の保持の有無を判定する第１工程と、
前記第１工程によって前記ディスプレイの画面を下向きにして前記筐体がユーザに保持されていると判定された場合に、前記照明装置の明るさを低下させる制御情報を前記通信部に送信させる第２工程と、
を有する照明制御方法。
【請求項９】
筐体に設けられたディスプレイと、明るさの制御が可能な照明装置との間で通信を行う通信部と、前記ディスプレイの画面の傾きを測定する傾き測定部と、を備えた情報処理装置が有するコンピュータを、
前記傾き測定部の測定結果に基づいて、前記ディスプレイの画面の向き及びユーザによる前記筐体の保持の有無を判定する画面向き判定部と、
前記画面向き判定部によって前記ディスプレイの画面を下向きにして前記筐体がユーザに保持されていると判定された場合に、前記照明装置の明るさを低下させる制御情報を前記通信部に送信させる明るさ制御部と、
をして機能させるプログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明の第二態様に係る照明制御システムは、上記記載の情報処理装置と、明るさの制御が可能な照明装置と、を具備し、前記照明装置は、前記制御情報を受信する受信部と、前記受信部によって受信した前記制御情報に基づいて照明の明るさを制御する照明制御部と、を備える。
【手続補正４】
【補正対象書類名】明細書
【補正対象項目名】００１１
【補正方法】変更
【補正の内容】
【００１１】
本発明の第三態様に係る照明制御方法は、筐体に設けられたディスプレイと、明るさの制御が可能な照明装置との間で通信を行う通信部と、前記ディスプレイの画面の傾きを測定する傾き測定部と、を備えた情報処理装置の照明制御方法であって、前記傾き測定部の測定結果に基づいて、前記ディスプレイの画面の向き及びユーザによる前記筐体の保持の有無を判定する第１工程と、前記第１工程によって前記ディスプレイの画面を下向きにして前記筐体がユーザに保持されていると判定された場合に、前記照明装置の明るさを低下させる制御情報を前記通信部に送信させる第２工程と、を有する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明の第四態様に係るプログラムは、筐体に設けられたディスプレイと、明るさの制御が可能な照明装置との間で通信を行う通信部と、前記ディスプレイの画面の傾きを測定する傾き測定部と、を備えた情報処理装置が有するコンピュータを、前記傾き測定部の測定結果に基づいて、前記ディスプレイの画面の向き及びユーザによる前記筐体の保持の有無を判定する画面向き判定部と、前記画面向き判定部によって前記ディスプレイの画面を下向きにして前記筐体がユーザに保持されていると判定された場合に、前記照明装置の明るさを低下させる制御情報を前記通信部に送信させる明るさ制御部と、をして機能させる。
【手続補正７】
【補正対象書類名】明細書
【補正対象項目名】００１４
【補正方法】削除
【補正の内容】